(57)【特許請求の範囲】
【請求項１】
外周にフックが設けられた視線誘導柱と、前記フックに連結されたチェーンとを有する進入防止具であって、
前記フックは、前記外周に固定された基端部と、前記基端部よりも上方に位置して前記外周に隣接する先端部と、前記基端部と前記先端部を繋ぐ本体部と、を有し、且つ弾性的に変形可能な樹脂で一体に形成されており、前記先端部と前記外周との間の隙間が前記チェーンの鎖環の断面幅より狭い通常位置と、前記隙間が前記鎖環の断面幅より広い拡張位置との間を前記弾性的な変形によって移動可能であり、前記基端部は、前記外周へ向かって徐々に太くなっている進入防止具。
【請求項２】
前記先端部の前記外周に対向する部分は、丸みを帯びていることを特徴とする請求項１に記載の進入防止具。
【請求項３】
前記フックは、前記視線誘導柱の上部に取り付けられた筒状部材の外周に固定されていることを特徴とする請求項１又は２に記載の進入防止具。
【請求項４】
前記フックは、エラストマー樹脂で形成されていることを特徴とする請求項１〜３のいずれか１項に記載の進入防止具。
【発明の詳細な説明】
【技術分野】
【０００１】
本発明は、外周にフックが設けられた視線誘導柱と、フックに連結されたチェーンとを有する進入防止具に関する。
【背景技術】
【０００２】
視線誘導柱（以下、道路標識柱、誘導柱又は標識柱と称することもある）は、例えば車道と自転車道及び歩行者専用道路との境界線標示用、公園や街路等の車止め仕切り、通り抜け禁止、進入禁止等の標示用、駐車場の標示用として使用される。
【０００３】
また、車両や人の進入を的確に防止したい場所においては、隣接する視線誘導柱間もしくは視線誘導柱と建物との間にチェーンが掛け渡される場合がある。下記特許文献１では、車止め支柱内の収容フレームに基端が固定された係合杆（フック）にチェーンの鎖環を掛け止めるようにしている。しかしながら、特許文献１のように係合杆に鎖環を掛けるだけの場合、チェーンの取り付けは容易であるが、チェーンが外れ易いという問題がある。
【０００４】
さらに、特許文献２では、チェーンリンクに挿入する鍵型フック棒と、一対の孔を設け、該鍵型フック棒の一方が貫通するガイド筒を略垂直に車止め支柱内部側面に固着した車止め支柱のチェーン連結装置が記載されている。しかしながら、特許文献２のチェーン連結装置は、鍵型フック棒やガイド筒を用いた機構のため、取り付けが難しく時間がかかるおそれがある。
【先行技術文献】
【特許文献】
【０００５】
【特許文献１】特開２００６−５７３１９号公報
【特許文献２】特開２００５−３１５０３６号公報
【発明の概要】
【発明が解決しようとする課題】
【０００６】
本発明は、このような課題に着目してなされたものであって、その目的は、チェーンの取り付けが容易であるとともに、取り付け後はチェーンが外れにくい進入防止具を提供することである。
【課題を解決するための手段】
【０００７】
上記目的は、下記の如き本発明により達成できる。      
即ち、本発明の進入防止具は、外周にフックが設けられた視線誘導柱と、前記フックに連結されたチェーンとを有する進入防止具であって、
前記フックは、前記外周に固定された基端部と、前記基端部よりも上方に位置して前記外周に隣接する先端部と、前記基端部と前記先端部を繋ぐ本体部と、を有し、且つ弾性的に変形可能な樹脂で一体に形成されており、前記先端部と前記外周との間の隙間が前記チェーンの鎖環の断面幅より狭い通常位置と、前記隙間が前記鎖環の断面幅より広い拡張位置との間を前記弾性的な変形によって移動可能であり、前記基端部は、前記外周へ向かって徐々に太くなっているものである。
【０００８】
この構成によれば、フックが弾性的に変形可能な樹脂で形成されているため、フックの先端部と視線誘導柱の外周との間の隙間がチェーンの鎖環の断面幅より広い拡張位置となるようにフックを移動させることで、チェーンをフックの先端部から容易に取り付けることができる。一方、取り付け後には、フックの先端部と視線誘導柱の外周との間の隙間がチェーンの鎖環の断面幅より狭い通常位置となるようにフックを移動させることで、チェーンがフックの先端部から外れにくくなる。
そして、基端部は外周へ向かって徐々に太くなっているから、フックの基端部からの破損を抑制できる。
【０００９】
本発明の進入防止具において、前記先端部の前記外周に対向する部分は、丸みを帯びていることが好ましい。
【００１０】
この構成によれば、フックの先端部と視線誘導柱の外周との間の隙間をチェーンの鎖環が通過しやすくなるため、チェーンの鎖環をフックの先端部から容易に取り付けることができる。
【００１１】
本発明の進入防止具において、前記フックは、前記視線誘導柱の上部に取り付けられた筒状部材の外周に固定されていることが好ましい。
【００１２】
この構成によれば、既存の視線誘導柱に筒状部材を取り付けて、筒状部材のフックにチェーンを連結することで容易に進入防止具を構成することができる。
【００１３】
本発明の進入防止具において、前記フックは、エラストマー系樹脂で形成されていることが好ましい。
【００１４】
この構成によれば、フックが弾性的に変形することができるとともに、変形した際の復元性も良好となる。また、フックに車両や人が接触した場合にも危険が少ない。
【図面の簡単な説明】
【００１５】
【図１】本発明の一実施形態に係る進入防止具の全体を示す正面図
【図２】視線誘導柱の上部を拡大して示す平面図及び正面図
【図３】フックにチェーンの鎖環を取り付ける様子を示す正面図
【図４Ａ】本実施形態に係るフックの正面図
【図４Ｂ】別実施形態に係るフックの正面図
【発明を実施するための形態】
【００１６】
本発明の進入防止具の好適な実施形態を、図面を用いて説明する。図１は、進入防止具の全体を示す正面図である。図２は、視線誘導柱の上部を拡大して示す平面図及び正面図である。
【００１７】
進入防止具１は、視線誘導柱２と、隣接する視線誘導柱２の間に掛け渡されたチェーン３とを有し、車両や人の通行を規制するものである。ただし、本実施形態では隣接する視線誘導柱２の間にチェーン３を掛け渡す例を示しているが、視線誘導柱２と隣接する建物等との間にチェーン３を掛け渡すようにしてもよい。
【００１８】
進入防止具１は、外周にフック４が設けられた視線誘導柱２と、このフック４に連結されたチェーン３とを有している。視線誘導柱２は、円柱状をしている。チェーン３は、複数の鎖環３１を連結して形成されている。鎖環３１は、円形断面を有する線材を環状にしたものである。鎖環３１は、金属製、プラスチック製等があるが、軽量化の観点からプラスチック製が好ましい。
【００１９】
本実施形態では、視線誘導柱２の上部２ａに筒状部材２１が取り付けられており、フック４は、筒状部材２１の外周面２１ａに固定されている。本実施形態では、フック４は、筒状部材２１の中心軸を挟んで両側にそれぞれ一つずつ設けられている。
【００２０】
筒状部材２１は、円柱状の視線誘導柱２に対応するように、円筒状に形成されている。勿論、視線誘導柱２が角柱や楕円柱である場合には、その形状に応じて筒状部材２１は角筒状又は楕円筒状に形成される。筒状部材２１の内径は、視線誘導柱２の外径に一致又は少し小さく形成されている。
【００２１】
本実施形態の筒状部材２１は、筒状部材２１の上部開口を閉塞する蓋部を有している。ただし、この蓋部は、必ずしも設ける必要はなく、また、筒状部材２１の上部開口を部分的に閉塞する形状でもよい。
【００２２】
また、筒状部材２１の上端には、プレート２２が取り付けられている。プレート２２には、例えば「進入禁止」等の文字を記載して車両や人に更なる注意を促すこともできる。
【００２３】
フック４は、外周面２１ａに固定された基端部４１と、基端部４１よりも上方に位置して外周面２１ａに隣接する先端部４２と、基端部４１と先端部４２を繋ぐ本体部４３と、を有している。
【００２４】
フック４は、全体としてＣ字状をしている。本体部４３の断面は円形となっている。なお、基端部４１と外周面２１ａとの接続部分は、少し太くなっており、詳しくは図４Ａに示すように、フック４の基端部４１は、外周面２１ａへ向かって徐々に太くなっている。先端部４２は、本体部４３の断面の直径よりわずかに大きい直径を有する球状をしている。また、本体部４３は、基端部４１と先端部４２を繋ぐ円弧状をしている。
【００２５】
フック４は、弾性的に変形可能な樹脂で一体に形成されている。フック４は、例えばエラストマー系樹脂で形成されているが、その他の樹脂も利用し形成することが可能である。
【００２６】
図３は、フック４にチェーン３の鎖環３１を取り付ける様子を示す正面図である（ただし、鎖環３１は断面図で示されている）。図３（ａ）は、フック４が通常位置にある状態を示している。この通常位置では、先端部４２と外周面２１ａとの間の隙間ｇがチェーン３の鎖環３１の断面幅ｗより狭くなっている。すなわち、通常位置では、鎖環３１が隙間ｇを通過することができず、フック４へ鎖環３１を連結することができない。なお、本実施形態では、鎖環３１の断面が円形となっており、鎖環３１の断面幅ｗは円の直径である。
【００２７】
図３（ｂ）は、フック４が図３（ａ）の通常位置から弾性的な変形によって拡張位置に移動した状態を示している。この拡張位置では、先端部４２と外周面２１ａとの間の隙間ｇが鎖環３１の断面幅ｗより広くなっている。すなわち、拡張位置では、鎖環３１が隙間ｇを通過することができ、フック４へ鎖環３１を連結することができるとともに、フック４から鎖環３１を取り外すことができる。
【００２８】
図３（ｃ）は、フック４が図３（ｂ）の拡張位置から弾性的な変形によって通常位置に復帰した状態を示している。すなわち、通常位置では、鎖環３１が隙間ｇを通過することができず、フック４から鎖環３１が外れるのを禁止し得る。
【００２９】
なお、本実施形態の視線誘導柱２には反射テープ２３を巻き付けて注意喚起をより一層促しているが、反射テープ２３の有無、位置、貼付範囲などは適宜変更可能である。
【００３０】
＜別実施形態＞
本発明は前述した実施形態に何ら限定されるものではなく、本発明の趣旨を逸脱しない範囲内で種々の改良変更が可能である。
【００３１】
（１）前述の実施形態において、フック４の先端部４２は球状となっているが、これに限定されない。例えば、図４Ｂに示すように、先端部４２の外周面２１ａに対向する部分が丸みを帯びるようにするだけでもよい。
【００３２】
（２）前述の実施形態では、視線誘導柱２の上部に取り付けた筒状部材２１の外周面２１ａにフック４を設けているが、フック４は、視線誘導柱２の外周面に直接設けるようにしてもよい。
【００３３】
（３）前述の実施形態では、フック４は全体としてＣ字状をしているが、フック４の形状はこれに限定されない。フック４は全体としてＵ字状、Ｊ字状、コ字状等でもよい。
【符号の説明】
【００３４】
１          進入防止具
２          視線誘導柱
２ａ        視線誘導柱の上部
３          チェーン
４          フック
２１        筒状部材
２１ａ      外周面
３１        鎖環
【図１】
0006534140.tif 000002
【図２】
0006534140.tif 000003
【図３】
0006534140.tif 000004
【図４Ａ】
0006534140.tif 000005
【図４Ｂ】
0006534140.tif 000006